(57)【要約】  ローリングロード上を走行するタイヤ上の摩耗を試験する方法は、−車両の構造データと動的平衡モデルを用いて、車両の重心での速度と加速度の関係、及び所与の車軸に適用される角度と方向力を決定するステップと、−所定のコース上を進む車両の速度と加速度とを連続的に記録するステップと、−全く同一の車軸に属する２つのタイヤをローリングロードに配置し、記録された速度と加速度の値に応じて、キャンバー角、荷重、及び縦力の値を、常に車軸の車輪の各々に適用するステップと、を含む。車輪の各々が受ける横力の値が測定され、ドリフト角を、タイヤの傾斜に起因する横力の合計が車軸の中心に加えられる横力と常に等しくなるように、及び２つの車輪間のドリフトの差が車軸に課された平行性の変動を順守するように変化させる。【選択図】図１
2021533020.tif 000002
【特許請求の範囲】
【請求項１】
少なくとも１対の測定ステーション（１２ａ、１２ｂ）を備える試験機（１）のローリングロード（１１）上を走行するタイヤの摩耗を試験する方法であって、
車両の構造データ（Ｄｃ）及び動的平衡モデルを用いて、車両の重心（Ｔ）での移動速度（Ｖｘ）と加速度（Ａｘt、Ａｙt、Ａｚt）との間の関係（ｆ1、ｆ2、ｆ3、ｆ4、ｆ5、ｆ6）と、各車軸によって前記車両のシャーシに加えられた縦力（Ｆｘ）、横力（Ｆｙ）、及び荷重変動（Ｆｚ）と、地面から前記車輪の各々に加えられた縦力の分布（Ｆｘvg、Ｆｘvd、Ｆｘrg、Ｆｘrd）及び荷重変動の分布（Ｆｚvg、Ｆｚvd、Ｆｚrg、Ｆｚrd）と、前記車輪の各々のキャンバ角（Ａｃ）とを決定する、ステップＡと、
前記車両が所定の摩耗試験コースを走行している場合に前記車両の重心（Ｔ）の移動速度（Ｖｘ）及び加速度（Ａｘt、Ａｙt、Ａｚt）を測定して継続的に記録する、ステップＢと、
全く同一の車軸に属する２つのタイヤを、試験機（１）の測定ステーション（１２ａ、１２ｂ）の各々に配置するステップＣと、を含み、
○  ステップＡで決定した前記関係（ｆ1、ｆ2、ｆ3、ｆ4、ｆ5、ｆ6）を用いて、ステップＢで記録した移動速度（Ｖｘ）、並びに縦方向加速度（Ａｘt）、横方向加速度（Ａｙt）、及び垂直加速度（Ａｚt）の値に応じて、前記車軸（Ｅ）から前記車両の前記シャーシに加えられる前記縦力（Ｆｘ）、前記横力（Ｆｙ）、及び前記荷重変動（Ｆｚ）の値、前記キャンバー角（Ａｃ）の値、前記地面から前記車軸（Ｅ）の前記車輪（Ｗg、Ｗd）の各々に加えられる荷重変動（Ｆｚg、Ｆｚd）の値及び縦力（Ｆｘg、Ｆｘd）の値を全ての時間に決定し、
○  前記キャンバー角（Ａｃ）の値と、以前に計算した前記縦力及び垂直力（Ｆｘg、Ｆｘd、及びＦｚg、Ｆｚd）の値とを、全ての時間に前記車輪（Ｗg、Ｗd）の各々に適用し、
○  前記車軸（Ｅ）の前記車輪（Ｗg、Ｗd）の各々が受ける前記横力（Ｆｙg、Ｆｙd）の値を測定し、前記車輪の各々のドリフト角（Ａｄ）を、前記タイヤの傾斜から生じる前記横力（Ｆｙg＋Ｆｙd）の合計が、前記車軸の前記中心（Ｅ）に加えられる前記横力（Ｆｙ）と全ての時間で等しいように、及び前記２つの車輪間のドリフトの差分（δ（Ａｄ））が、前記車軸の特性に基づいて計算された平行性の変動を順守するように変化させる、ようになっている、
方法。
【請求項２】
前記車軸の各々によって前記シャーシに加えられる前記縦力の値は、縦方向加速度（Ａｘt）、前記車両の構造データ（Ｄｃ）、前記移動速度（Ｖｘ）、及びエンジンによって供給される引張力の作用の下での前記車両の動的平衡モデルに起因する（Ｆｘ＝ｆ1（Ａｘt、Ｖｘ、Ｄｃ））、請求項１に記載の試験方法。
【請求項３】
前記全く同一の車軸の前記車輪の各々に地面から加えられる縦力が常に等しい（Ｆｘg＝Ｆｘd）、請求項２に記載の試験方法。
【請求項４】
前記地面から４つの車輪の各々に加えられる前記縦力の分布（Ｆｘvg、Ｆｘvd、Ｆｘrg、Ｆｘrd）は、前記車両の前記動的平衡モデルに導入される特有の制御法則に起因する、請求項２又は請求項３に記載の試験方法。
【請求項５】
前記全く同一の車軸の前記車輪（Ｗg、Ｗd）の各々に前記地面から加えられる前記荷重変動の合計（Ｆｚｇ＋Ｆｚｄ）は、前記車両の速度（Ｖｘ）、前記縦方向加速度（Ａｘt）、及び前記構造データ（Ｄｃ）の作用の下での前記車両のピッチ動的平衡モデルに起因する（Ｆｚg＋Ｆｚd＝ｆ2（Ａｘt、Ｖｘ、Ｄｃ））、請求項１から４のいずれかに記載の試験方法。
【請求項６】
前記全く同一の車軸の前記車輪（Ｗg、Ｗd）の各々に前記地面から加えられる前記荷重変動（Ｆｚg〜Ｆｚd）の差分は、前記車両の前記横方向加速度（Ａｙt）及び前記構造データ（Ｄｃ）の作用の下での前記車両のロール動的平衡モデルに起因する（Ｆｚg−Ｆｚd＝ｆ3（Ａｙt、Ｄｃ））、請求項１から５のいずれかに記載の試験方法。
【請求項７】
前記車軸の各々から前記シャーシに加えられる前記横力（Ｆｙ）の値は、前記車両の前記横方向加速度（Ａｙｔ）及び前記構造データ（Ｄｃ）の作用の下での前記車両のヨー動的平衡モデルに起因する（Ｆｙ＝ｆ4（Ａｙt、Ｄｃ））、請求項１から６のいずれかに記載の試験方法。
【請求項８】
前記車輪の各々の前記キャンバー角（Ａｃ）は、前記車両の前記横方向加速度（Ａｙt）及び前記構造データ（Ｄｃ）の作用の下での前記車両のロール動的平衡モデルに起因する（Ａｃ＝ｆ5（Ａｙｔ、Ｄｃ））、請求項１から７のいずれかに記載の試験方法。
【請求項９】
前記キャンバー角（Ａｃ）の値は、この角度が、ローリングロード上で常に測定される前記横力（Ｆｙg及びＦｙd）によってもたらされるキャンバー角の弾性変動の作用の修正された動的平衡モデルに起因するように修正される（Ａｃvd＝ｆ’5（Ａｙt、Ｆｙvd、Ｆｙvg、Ｄｃ）及びＡｃvg＝ｆ’5（Ａｙt、Ｆｙvg、Ｆｙｖｄ、Ｄｃ））、請求項８に記載の試験方法。
【請求項１０】
前記全く同一の車軸の前記車輪の各々のドリフト角は、前記車輪の各々の前記ドリフト角の間の差分（Ａｄg−Ａｄd）が既知の値δ（Ａｄ）（δ（Ａｄ）＝ｆ6（Ｄｃ））に等しくなるように変化する、請求項１から９のいずれかに記載の試験方法。
【請求項１１】
前記全く同一の車軸の前記車輪の各々の前記ドリフト角（δ（Ａｄ））の間の差分の値は、常にゼロである、請求項１０に記載の試験方法。
【請求項１２】
前記全く同一の車軸の前記車輪の各々の前記ドリフト角（δ（Ａｄ））の間の差分の値は、前記差分（Ａｄg−Ａｄd）が、計算された荷重変動（Ｆｚvg、Ｆｚvd）及び縦力変動（Ｆｘvg、Ｆｘvd）によって、及びローリングロード上で常に測定される横力（Ｆｙg、及びＦｙd）によってもたらされるステアリング角の弾性変動の値の作用の修正された動的平衡モデルに起因するように修正される（δ（Ａｄ）＝ｆ’6（Ｄｃ、Ｆｘvg、Ｆｘvd、Ｆｙvg、Ｆｙvd、Ｆｚvg、Ｆｚvd））、請求項１０に記載の試験方法。
【請求項１３】
前記試験機（１）が複数の測定ステーション（１２ａ、１２ｂ）対を備え、
−全く同一の車両の前車軸及び後車軸上に取り付けられたタイヤセットの試験と、
−全く同一の車両の前記全く同一の車軸に属する異なるタイヤセットの試験と、
−前記車両の構造データＤｃのさまざまな調整を含む、全く同一の車両の前記同じ車軸上に取り付けられたタイヤセットの試験と、
−異なる車両の前記同じ車軸上に取り付けられた同一のタイヤセットの試験と、
−異なる車両の前記同じ車軸上に取り付けられた異なるタイヤセットの試験と、
を実行する、請求項１から１２のいずれかに記載の試験方法。
【発明の詳細な説明】
【技術分野】
【０００１】
本発明は、タイヤの摩耗試験の分野に関し、具体的には、回転機械上で行われる摩耗試験に関する。
【背景技術】
【０００２】
タイヤの摩耗試験の大部分は、正式に規定され、その上を実験車両が標準コースを辿るロードサーキット上で行われる。
【０００３】
しかしながら、この評価方法は、依然として著しく資源を消費する状態にある。従って、以前から、回転機械上でこれらの試験を行うための試験手順が開発されている。
【０００４】
しかしながら、様々な試験機関によって開発されたこの手順は、実際の回転条件を再現して、摩耗に関するこれらの性能について、互いにタイヤの信頼できる分類を提案しようと努力する。
【０００５】
さらに、これらの試験は、車種、及びそれらのフロント及びリアサスペンションの特性、支持荷重、運転のタイプ、走行速度、走行サーキット、遭遇する路面特性、試験時に支配的である大気条件などに大きく左右される。
【０００６】
このため、試験機上の最も効果的な評価手順は、タイヤ上の車両の動的効果を表すことを可能にする物理的モデルを使用する。
【０００７】
これらのモデルは、車両重心に作用する速度及び加速度を、車輪の中心Ｆｘ、Ｆｙ、Ｆｚ、Ｃｘ、Ｃｙ、Ｃｚに作用する力のトルソー（ｔｏｒｓｏｒ）に関連づける方程式を記述する。従って、車両の動的平衡は、運転者によって課されるステアリング制御及び車両の移動速度に依存し、車両サスペンションの機械的構造によって課されるロール角及びピッチ角をもたらし、ドリフト角及びキャンバー角につながり、車両の各車輪によって支持される荷重につながる。
【０００８】
タイヤの挙動を記述するために、これらの方程式は、例えば、Ｈａｎｓ  Ｂａｓｔｉａａｎ  Ｐａｃｅｊｋａによって開発されたモデル（車両動力学研究で使用するためのタイヤモデル化、１９８７年１月、米国ペンシルベニア州ウォーレンデールの米国自動車技術者協会）によって開発されたモデルなどの既知の技術的モデルを使用する。これらの非線形モデルは、様々な荷重並びにドリフト角及びキャンバー角を考慮した、及び長手方向の滑りを考慮したタイヤの実験的特性評価に適合した数学モデルに基づいており、これは、例えば、ＭＴＳ社が販売するＦｌａｔ−Ｔｒａｃｋタイヤの測定機上で、又はタイヤによって生成される力及びモーメントに関して地面の曲率が平坦な地面と比較してごくわずかな影響を与えるのに十分な大きさの直径を有する回転ドラム上で可能になる。また、上記のタイヤの挙動を説明する一連の特性を得るために、マクロ構造破壊から有限要素記述までの範囲で、程度の差はあるがタイヤの改善された物理的モデリングを実施することも可能である。
【０００９】
もしくは、これらの法則は、走行中に車両を計測する（ｉｎｓｔｒｕｍｅｎｔｉｎｇ）ことによって、又はより簡単に、例えば標準のＡＭＴＩモデルＯＲ６−５−２０００に説明されるようなダイナモメトリックプラットフォーム上で測定を行うことによって、実験的取得を活用して最適化することができる。
【００１０】
欧州特許第１３５４１８４号は、この問題に対応することができる実験的モデルを開示している。
【００１１】
この特許は、以下のステップを実行することを提案している。
【００１２】
第１のステップは、ダイナモメトリックプラットフォームを用いて、車両を特徴付けるこのステップの間に、タイヤの各々が遭遇する方向力Ｆｘ、Ｆｙ、Ｆｚ、並びにドリフト角及びキャンバー角を測定することによって車両を特徴付けることからなり、その間に、車両は、様々な加速度、移動速度、及びコーナリング半径でもってプラットフォーム上で運転される。
【００１３】
欧州特許第１３５４１８４号による方法の第２のステップは、車両が試験コース上を走行する際に、車両の重心での加速度及び速度を測定することによって摩耗試験コースを特徴付けることからなり、この試験コースは、好ましくは、実際の走行条件の下で試験を行うために使用される試験コースと同じであり、この試験コース上では実験に基づいた摩耗結果がすでに得られている。この第２のステップは、車両及び使用されるタイヤセットとは無関係とすることができる。
【００１４】
この方法の第３のステップの間に、第１のステップの間に得られた実験結果は、実験に基づいた車両及びタイヤセットに特有の法則を作成するのを可能にし、さらに車輪の中心に作用しかつ各タイヤが遭遇する３つの方向性の力Ｆｘ、Ｆｙ、及びＦｚ、並びにドリフト角を、重心で測定された車両の加速度（Ａｘ、Ａｙ）及び移動速度（Ｖｘ）に関連付ける。
【００１５】
タイヤのモデルに関連したＨａｎｓ  Ｂａｓｔｉａａｎ  Ｐａｃｅｊｋａによって開発されたものなどの車両の動的モデルを使用することで、及び回転セットの幾何学的形状が記述された後に、同等の方法で、これらの関係を計算によって決定することが可能であり、第１ステップを省くことができる。
【００１６】
最後に、実際の試験ステップは、ローリングロード上で試験されるタイヤを支持する車輪を取り付けるステップと、試験過程の間にタイヤが遭遇し、第３ステップ中に得られた法則から計算されかつ第２ステップ中に得られた加速度及びドリフトデータから計算された力Ｆｘ、Ｆｙ、Ｆｚ、及びドリフト角を車輪に適用するように試験機を制御するステップとからなる。従って、参照摩耗サーキット上の車両によってカバーされるのと同じ距離だけローリングロード上を走行することにより、このサーキット上で記録される摩耗に関する性能が、試験されたタイヤ上で再現される。
【００１７】
この方法は、車両による試験サーキットで取得した結果と同様の満足のいく摩耗結果を得るのを可能にするが、これには、第１ステップ中に困難かつ費用のかかる手順を用いるという欠点がある。同様に、タイヤの動作を考慮して動的法則の実験的同定（すなわち、Ｐａｃｅｊｋａモデル）による決定は、困難かつ複雑であり、リアルタイムで実行することができない。これらの同じ動作特性を評価するために、純粋なタイヤモデリング手法を採用した場合も同様である。
【先行技術文献】
【特許文献】
【００１８】
【特許文献１】欧州特許第１３５４１８４号
【発明の概要】
【発明が解決しようとする課題】
【００１９】
本発明の目的は、上記の手順を簡素化し、これを実行するために必要なコスト及び演算時間を低減するのを可能にするタイヤの摩耗試験方法を提案することである。
【課題を解決するための手段】
【００２０】
本発明による少なくとも１対の測定ステーションを備える試験機のローリングロードを走行するタイヤの摩耗を試験するための方法は、
車両の構造データ及び動的平衡モデルを用いて、車両の重心での移動速度と加速度との間の関係と、各車軸によって車両のシャーシに加えられた縦力、横力、及び荷重変動と、地面から車輪の各々に加えられた縦力の分布及び荷重変動の分布と、車輪の各々のキャンバ角とを決定する、ステップＡと、
車両が所定の摩耗試験コースを走行している場合に車両の重心の移動速度及び加速度を測定して継続的に記録する、ステップＢと、
全く同一の車軸に属する２つのタイヤを、試験機の測定ステーションの各々に配置するステップＣであって、
○ステップＡで決定した関係を用いて、ステップＢで記録した移動速度、並びに縦方向加速度、横方向加速度、及び垂直加速度の値に応じて、車軸から車両のシャーシに加えられる縦力、横力、及び荷重変動の値、キャンバー角の値、及び車軸の車輪の各々に対する荷重変動の値及び縦力の値を常に決定し、
○キャンバー角の値と、以前に計算した縦力及び垂直力の値とを、常に車輪の各々に適用し、
○車軸の車輪の各々が受ける横力の値を測定し、車輪の各々のドリフト角を、タイヤの傾斜から生じる横力の合計が、車軸の中心に加えられる横力と常に等しいように、及び２つの車輪間のドリフトの差分が、車軸の特性に基づいて計算された平行性の変動を順守するように変化させる、ようになっているステップＣと、
を含む。
【００２１】
車両の動的平衡モデルによって使用される法則により、ロール角及びキャンバー角の値、及び車軸に加えられる縦力、横力、及び垂直力の値を計算することが可能になり、重心での加速度及び移動速度の値に応じた車軸の車輪の各々に対する荷重及び加速度の値は、車両の機械的かつ幾何学的データを用いて容易にアクセスできることが示されている。これらの法則は、例えば、それ自体が四輪車モデルとして知られているモデルに基づいて定式化することができる。
【００２２】
全く同一の車軸のタイヤの各々に加えられた横力を評価するためのモデル、例えば、Ｈａｎｓ  Ｂａｓｔｉａａｎ  Ｐａｃｅｊｋａによって開発されたモデル又はその等価物などの、複雑な測定を行うこと、又はドリフト、荷重、キャンバー角、及び縦方向の滑りの変動を受けた場合のタイヤの挙動を考慮する非線形法則を導入することを必要とするモデルとは異なり、本発明による方法は、車軸に加えられた横力がタイヤの各々が受ける横力の合力であり、縦方向に対するドリフト角を形成することを考慮することによって、これらのステップを省くことを提案する。
【００２３】
従って、試験機は、車輪の各々で測定された横力の合計が、車軸の幾何学的形状によって課せられた車輪の各々のステアリング角の差分を順守しながら車軸に加えられた横力に等しくなるように、タイヤに与えられたドリフト角を「探す」ように制御される。
【００２４】
従って、これは「ハードウェアインザループ」と呼ばれる動作原理である。換言すると、ドリフト角及び横力の値は、車軸のタイヤの各々に関して個別には分からないので、タイヤの各々が受ける横力の合計が、車軸の車輪の平行性の差を保証しながら車軸の横力と等しくなるようにドリフト角の値を決定するのは機械的制御であり、これらの２つの条件（ｔｅｒｍ）は、四輪車モデルを使用して容易に利用可能である。
【００２５】
従って、摩耗試験方法は、タイヤを記述するための実験的特性評価及びモデリングを省くことを可能にし、車両の構造データが取得されるとこの車両の何らかのタイヤセットを試験する可能性も提供する。
【００２６】
また、本発明による方法は、試験中のタイヤの摩耗の進行度に応じて、タイヤの各々の物理的特性の変化を考慮することを可能にする。詳細には、試験機は、車軸に加えられた全横力の所望の値を得るために、対象の車軸のタイヤの各々のドリフト角を自動的に適合させる。対照的に、タイヤ特性の実験的特性評価又はモデリングを含む手法において、継続的にタイヤの駆動を試験機に適応させるために、理想的には試験中に摩耗に応じてこれらの特性を変更することが必要になるはずであり、これは実際には非常に難しくなる。
【００２７】
従って、この摩耗結果は、選択された試験コースで車両を走行する場合に得られた結果に忠実に近づく。
【００２８】
従って、この摩耗試験は、非常に好ましい経済的条件の下でより短い時間で行うことができる。
【００２９】
また、本発明による試験方法は、単独で又は組み合わせて、以下の処理の実行を含むことができる。
−各車軸からシャーシに加えられる縦力の値が、縦方向加速度、車両の構造データ、移動速度、及びエンジンによって供給される引張力の作用の下での車両の動的平衡モデルに起因する。
−全く同じ車軸の車輪の各々に地面から加えられる縦力が常に等しい。
−地面から４つの車輪の各々に加えられる縦力の間の分布が、車両の動的平衡モデルに導入された特定の制御法則に起因する。
−全く同じ車軸の車輪の各々に地面から加えられる荷重変動の合計が、速度、縦方向加速度、及び車両の構造データの作用の下で車両のピッチ動的平衡モデルに起因する。
−全く同じ車軸の車輪の各々に地面から加えられる荷重変動の差分が、横方向加速度及び車両の構造データの作用の下での車両のロール動的平衡モデルに起因する。
−各車軸からシャーシに加えられる横力の値が、横方向加速度及び車両の構造データの作用の下で車両のヨー動的平衡モデルに起因する。
−各車輪のキャンバー角が、横方向加速度及び車両の構造データの作用の下での車両のロール動的平衡モデルに起因する。
−キャンバー角の値は、この角度が、ローリングロード上で常に測定される横力によってもたらされるキャンバー角の弾性変動の作用の下で修正された動的平衡モデルに起因するように修正される。
−全く同じ車軸の車輪の各々のドリフト角は、車輪の各々のドリフト角の差分が既知の値と等しくなるように変化する。
−全く同じ車軸の車輪の各々のドリフト角の差分の値が、常にゼロである。
−全く同じ車軸の車輪の各々のドリフト角の差分の値が、この差分が計算された荷重変動と及び縦力、及びローリングロード上で常に測定される横力によってもたらされるステアリング角の弾性変動の値の作用の修正された動的平衡モデルに起因するように修正される。
−試験機が複数の測定ステーション対を備え、
○全く同一の車両の前車軸及び後車軸上に取り付けられたタイヤセットの試験と、
○全く同一の車両の全く同一の車軸に属する異なるタイヤセットの試験と、
○車両の構造データのさまざまな調整を含む、全く同一の車両の同じ車軸上に取り付けられたタイヤセットの試験と、
○異なる車両の同じ車軸上に取り付けられた同一のタイヤセットの試験と、
○異なる車両の同じ車軸上に取り付けられた異なるタイヤセットの試験と、
を実行する。、
【００３０】
本発明は、例示的に提供されかつ限定するものではない添付図面を検討することでよく理解できるはずである。
【図面の簡単な説明】
【００３１】
【図１】車両の概略図と、タイヤの各々に加えられる力の合力を示す。
【図２】回転機械の概略図である。
【図３】車両の動的平衡モデルの下での様々な力の間の相互作用を示す図である。
【発明を実施するための形態】
【００３２】
図１を参照すると、車両は、カーブの内側の左前輪Ｗvg、カーブの外側の右前輪Ｗvd、（これは前車軸Ｅvに取り付けられている）、カーブの内側の左後輪Ｗrg、カーブの外側の右後輪Ｗrd（これらは後車軸Ｅrに取り付けられる）として概略的に示されている。左右の車輪は、車両の状態に応じてカーブの内側又は外側のいずれかに位置決めできることは言うまでもない。
【００３３】
前車軸Ｅv及び後車軸Ｅrには、同じ法則及び同じ現象が適用される。従って、理解を容易にするために、前車軸Ｅvで観測される力又は角度に添字「ｖ」を追加することで車両の前部に対する言及を行うことができ、後車軸で観測される力又は角度に添字「ｒ」を追加することで車両の後部に対する言及を行うことができる。次に、添字がないものは、区別なしで、前車軸又は後車軸で観測される力又は角度に対する言及が行われる。同様に、本発明の理解に役立つ場合には、車両の右側及び左側は、力又は角度にそれぞれ添字「ｄ」又は「ｇ」を付けることで示されることになる。最後に、重心Ｔでの加速度の値は、添字「ｔ」を用して示される。
【００３４】
従って、車両は、軸Ｘが縦方向軸を表し、軸Ｙが横方向軸を表し、軸Ｚが垂直軸を表す座標系で示される。
【００３５】
車両の重心Ｔは、地面より上の高さｈ、及び前車軸Ｅv及び後車軸Ｅrを通過するロール軸ＲＲ’より上の高さｈ’に配置されている。重心Ｔは、それぞれ後車軸から値ｌ1、前車軸から値ｌ2だけ離れている。前車軸Ｅv及び後車軸Ｅrのロール中心は、それぞれ地面より上の高さｈv、及びｈrに配置されている。Ｖv及びＶrは、前方経路及び後方経路の幅を表す。
【００３６】
これらの車両の幾何学的な値、及び流体運動学的構造特性は、動的平衡モデルに導入される。これらの機械的データに追加されるのは、車両の質量分布値、車輪の各々に与えられるトーイン角度（Ａｐ）の値又は静的キャンバ角（Ａｃｓ）の値、サスペンション構成要素及びアンチレールバーの剛性及び動力学を説明するための要素、車両の空力係数に関連するデータ、及びタイヤの前進に対する抵抗に関連するデータである。
【００３７】
車両の構造データ全体は、共通の名称Ｄｃによって識別される。
【００３８】
図３を参照すると、車両の「四輪車」モデルと呼ばれる運動学的及び動的平衡モデルは、車両が移動速度Ｖｘで走行し、重心Ｔで縦方向加速度Ａｘt、横方向加速度Ａｙt、及び垂直方向加速度Ａｚtを受けた場合の前車軸及び後車軸に与えられる力の値を計算することを可能にする。
【００３９】
重心に加えられた力に起因する車両の横方向及び縦方向の動力学を記述する方程式を用いて以下のものが決定される。すなわち、
−前車軸又は後車軸Ｆｚv、Ｆｚrのそれぞれに加えられる荷重変動の分布、並びにピッチに応じた前後セットのドリフト角Ａｄ及びキャンバー角Ａｃの動的変更、
−前車軸又は後車軸Ｆｘv、Ｆｘrのそれぞれに加えられる縦力の分布、並びに前車軸と後車軸との間の荷重簿の伝達に応じた、前後セットのドリフト角Ａｄ及びキャンバー角Ａｃの弾性変更、
−前車軸又は後車軸のそれぞれの車輪Ｗｖg、Ｗｖd、Ｗｒg、Ｗｒd上の荷重変動の分布Ｆｚvg、Ｆｚvd、Ｆｚrg、Ｆｚrd、並びにロールに応じたドリフト角Ａｄ、及びキャンバー角Ａｃの動的変更、
−前車軸又は後車軸に加えられる全横力Ｆｙv、Ｆｙr、並びにヨー動的平衡に応じた前後セットのドリフト角Ａｄ及びキャンバー角Ａｃの弾性変更、
である。
【００４０】
車輪の各々に加えられる荷重、（ブレーキ、又はエンジン）トルク、移動速度、及びキャンバー角の値がそこから推定される。
【００４１】
従って、ステップＡの間に、車両の動的モデルを使用して、車軸に加えられた力及び角度の値を計算する。
【００４２】
車軸からシャーシに加えられる縦力、Ｆｘ＝ｆ1（Ａｘt、Ｖｘ、Ｄｃ）は、ブレーキ力と加速力Ａｘtの合力、並びに空気の空力抵抗に抗するのに必要な力と摩擦力の合力である。
【００４３】
地面から各車輪に加えられる縦力の差分Ｆｘg−Ｆｘdは、差分が軸のそれぞれに配置されると仮定するとゼロと見なすことができ、又はブレーキシステム（ＡＢＳ又はＥＳＰタイプの機能は別として）はこれらの力を均等に分担する。さもなければ、車両の動的平衡モデルは、４輪駆動車で、もしくはブレーキ力又は駆動力の前／後分布において行われるのと同じ方法で、車両の４つの車輪の間の縦力の分布（Ｆｘvg、Ｆｘvd、Ｆｘrg、Ｆｘrd）の様式を記述する特定の制御法則を含む必要がある。
【００４４】
全く同一の車軸の各車輪に地面から加えられる荷重変動の合計は、車両の荷重変動の分布と、速度Ｖｘ及び縦加速度Ａｘｔの下での車両のピッチ平衡方程式に起因し、Ｆｚg＋Ｆｚd＝ｆ2（Ａｘt、Ｖｘ、Ｄｃ）である。
【００４５】
同じ車軸の各車輪に地面から加えられる荷重変動の差分は、車両の構造データＤｃ及び横方向加速度Ａｙｔの下でのロール平衡方程式に起因し、Ｆｚg−Ｆｚd＝ｆ3（Ａｙt、Ｄｃ）である。
【００４６】
各車軸からシャーシに加えられる横力Ｆｙは、車両の構造データＤｃ及び求心力と関連する横方向加速度に起因し、Ｆｙ＝ｆ4（Ａｙt、Ｄｃ）である。
【００４７】
また、キャンバ角は、横方向加速度Ａｙt及び車両の構造データＤｃの一部である静的キャンバ角値Ａｃｓの影響下でのロール平衡方程式に起因し、Ａｃ＝ｆ5（Ａｙt、Ｄｃ）である。
【００４８】
ここでは、全く同一の車軸の左輪又は右輪に地面から加えられ、ステップＣの間にローリングロード１１の測定で観測される横力Ｆｙg及びＦｙdのリアルタイムの測定は、キャンバー角の値が得られる方法を改善するのを可能にすることが分かるであろう。
【００４９】
詳細には、横力Ｆｙg及びＦｙdの影響下で、車輪の各々に加えられたキャンバ角は、車軸に加えられる弾性変形を考慮するために補正する必要がある。
【００５０】
計算を改善するために、ローリングロード１１で測定されたＦｙg及びＦｙdの値から、２次インタラクティブループを導入することが可能であり、キャンバー角を決定するための法則は、例えば、右前輪に関してＡｃvd＝ｆ’5（Ａｙt、Ｆｙvd、Ｆｙvg、Ｄｃ）、及び左前輪に関してＡｃvg＝ｆ’5（Ａｙt、Ｆｙvd、Ｆｙvg、Ｄｃ）となる。
【００５１】
右輪Ｗdと左輪Ｗgに加えられたドリフト角の差分は、一般に車両の構造データから算出され、法則δ（Ａｄ）を用いて取得することができ、法則δ（Ａｄ）は、静的トーイン又はオープニング調整、及びホイールに加えられたピッチ及びロール運動に関連付けされた動的変動によって補正された、前方経路又は後方経路のそれぞれに機械的に課せられたステアリング角度ルールに依存し、δ（Ａｄ）＝ｆ6（Ｄｃ）である。
【００５２】
上記の説明と同じ理由から、動的平衡モデルを用いて計算される、地面から左右の前輪に加えられる縦力変動Ｆｘvg、Ｆｘvd、及び地面から左右の前輪に加えられかつ垂直荷重Ｆｚvg、Ｆｚvdによって、さらにステップＣの間にリアルタイムでローリングロード上で測定される左右の前輪に地面から加えられる横力Ｆｙvg、Ｆｙvdによってもたらされる前輪セット（又は後輪セット）の弾性変形を考慮することが有用であることが分かっている。次に、ドリフト角δ（Ａｄ）の差分は、δ（Ａｄ）＝ｆ’6（Ｄｃ、Ｆｘvg、Ｆｘvd、Ｆｙvg、Ｆｙvd、Ｆｚvg、Ｆｚvd）の形式になる（例えば、前輪に関して）。
【００５３】
これらの法則は、車両に特有であり、タイヤの特性に依存せず、タイヤの動作モデルをもつ必要なしで実施することができることが分かるであろう。
【００５４】
本方法のステップＢは、移動速度及び加速度データを収集するステップからなり、これらのデータは、試験「標準」の標的とされる過酷なレベルの運転を適用する運転者によって運転される正しく調整された車両で使用されている間に、タイヤが遭遇する摩耗状態を表すサーキット上の実際の条件の下での走行状態を表す。
【００５５】
従って、このコースは、標準的な路面を有する、曲がりくねった走行部、都市区域、及び高速道路区域を含む。同様に、走行条件は、乾いた地面であり、これは、設定された制限速度を配慮しながら、「標準」運転の過酷レベルに対応する方法で、制動及び加速動作が実行されることが保証される。
【００５６】
車両の重心Ｔに配置された記録計は、試験コースの至る所で車両が受ける速度データＶｘ及び加速度データＡｘt、Ａｙt、Ａｚtをリアルタイムで連続的に記録する。
【００５７】
これらの記録されたデータは、試験コース及び「標準」過酷レベルに特有なものであり、記録に使用した車種には無関係である。
【００５８】
本発明による方法の実施のステップＣは、実際の試験ステップである。図２に示すように、回転試験機（１）は、モーター（図示せず）の回転で駆動されるローリングロード１１を備える。この試験機は、少なくとも２つの測定ステーション（１２ａ、１２ｂ）を有し、各々は、２つのハブを有する計測アーム（図示せず）上に取り付けられ、このハブの各々は、タイヤが取り付けられた車輪を受け取り、全く同一の車軸の右輪Ｗｄ及び左輪Ｗｇを表すことが意図されている。
【００５９】
同等の方法で、上記のタイプのフラットトラック型の試験機上で本発明による試験を実行することができる。
【００６０】
ここで、上記を前提として、試験機１のローリングロード１１は、複数の測定ステーション（１２ａ、１２ｂ）対を備えることができることに留意されたい。従って、この構成は、数多くの異なる試験を行うことができる。
【００６１】
例えば、試験は、全く同じ車両の前後車軸に取り付けられたタイヤセットで行うことができ、又は全く同一の車軸に属する異なるタイヤセットを試験することができる。
【００６２】
弾性運動学的構造データＤｃの様々な調整を有する、全く同一の車両の同じ車軸に取り付けられたタイヤセットに対して試験を行うこと、又は、異なる車両の同じ車軸に取り付けられた同一の又は異なるタイヤセットを試験することも可能である。
【００６３】
ローリングロード１１の円周面は、摩耗試験サーキットで一般に遭遇する路面の等級を忠実に再現するために特別に研究されたコーティングを有する。これらのコーティングは、現実により忠実に近づけるために試験中に変えることができる。
【００６４】
各測定ステーション（１２ａ、１２ｂ）は、タイヤの垂直変位ここではタイヤが担う荷重Ｆｚ、加速又は制動フェーズをシミュレートする車輪に加えられたトルク、各車輪のドリフト角（Ａｄg、Ａｄd）及びキャンバー角（Ａｃd、Ａｃg）を変化させるための手段、並びに地面から各車輪に加えられた力（Ｆｘd、Ｆｙd、Ｆｚd）又は（Ｆｘg、Ｆｙg、Ｆｚg）の値を継続的に測定するための手段を備える。ローリングロード１１の回転速度は、車両の前進速度Ｖｘを表すように制御される。
【００６５】
ステップＡで決定された法則ｆ1、ｆ2、ｆ3、ｆ4、ｆ5、ｆ6を用いて、ステップＢで記録された速度Ｖｘと、縦方向、横方向、及び垂直方向加速度Ａｘt、Ａｙt、Ａｚtに応じて、対象とする、キャンバー角Ａｃの値、上記車軸Ｅに対する縦力Ｆｘ、横力Ｆｙ、及び垂直力Ｆｚの値、車軸の車輪Ｗg、Ｗdの各々に対する荷重Ｆｚg、Ｆｚd及び縦力Ｆｘg、Ｆｘdの値が常に決定される。
【００６６】
キャンバー角Ａｃの値、車両が摩耗試験ルートに沿って走行する場合に車輪の各々が受ける縦力及び垂直力Ｆｘg、Ｆｘd、並びにＦｚg、Ｆｚdの値は、連続的に常に車輪の各々に適用される。従って、試験サーキットで観測された走行状態は、回転機械でリアルタイムに再現される。
【００６７】
車輪の各々に適用されるドリフト角のみが未決定である。
【００６８】
この目的のために、各車輪Ｗg、Ｗdが受ける横力Ｆｙg、Ｆｙdの値が測定され、車輪の各々のドリフト角Ａｄg、Ａｄdは、タイヤを傾斜させることから生じる横力Ｆｙg＋Ｆｙdの合計が、対象の車軸Ｅの中心に加えられた横力Ｆｙに常に等しくなるように変化する。同時に、右輪と左輪のドリフト角の差分（Ａｄd−Ａｄg＝δ（Ａｄ））は、シャーシのロール及びピッチング運動によってもたらされる平行性の変動を考慮するように制御される。
【００６９】
上記から分かるように、このステアリング角の差分は、前輪セット又は後輪セットの構成に関連付けられる。最も簡単な場合には、この差分は、常にゼロであるか、又は対象のセットの動力学を組み込むか、より一般的には、地面から車輪に加えられる縦力、垂直力、及び横力によって引き起こされる弾性変形を考慮することができる。
【００７０】
従って、試験機の制御は、右輪Ｗd及び左輪Ｗgのそれぞれを支持する試験機のステーション１２ａと、１２ｂの各々で測定された横力Ｆｙg＋Ｆｙｄの合計値が現時点で力Ｆｙに等しくなるまで車輪の各々のドリフト角を「操作」する。
【００７１】
タイヤの動的モデルを成す非線形法則に必然的に従う、荷重条件Ｆｚd及びＦｚgの下でのドリフト角及びキャンバー角の影響の下で、ローリングロード１１上のタイヤの各々によって引き起こされる横力Ｆｙd及びＦｙgは、結果的に、実際の走行状態を代表する値で再現される。
【００７２】
上記の説明の主題である方法は、横力の決定に関連する複雑な計算を省き、車両のタイヤの摩耗試験を行うために、試験機上で、走行状態を確実かつ正確に再現することを可能にする。
【符号の説明】
【００７３】
１  試験機。
１１  ローリングロード。
１２ａ、１２ｂ  測定ステーション。
Ｗvg  左前輪（カーブの内側）
Ｗvd  右前輪（カーブの外側）
Ｗrg  左後輪（カーブの内側）
Ｗrd  右後輪（カーブの外側）
Ｔ  車両重心
ｈ  地面に対する重心の高さ
ｈ’  車両のロール軸に対する重心の高さ
ｌ1  重心と後車軸との間の距離
ｌ2  重心と前車軸との間の距離
Ａｘt  車両重心での縦方向加速度
Ａｙt  車両重心での横方向加速度
Ａｚt  車両重心での垂直加速度
Ｖｘ  移動速度
Ｅv  前車軸
ｈv  地面に対する前車軸の回転中心の高さ
Ｖｖ  前方経路の幅
Ｆｘv  前車軸からシャーシに加えられる縦力
Ｆｘvg  地面から左前輪に加えられる縦力
Ｆｘvd  地面から右前輪に加えられる縦力
Ｆｙv  前車軸からシャーシに加えられる横力
Ｆｙvg  地面から左前輪に加えられる横力
Ｆｙvd  地面から右前輪に加えられる横力
Ｆｚvg  地面から左前輪に加えられる垂直荷重の変動
Ｆｚvd  地面から右前輪に加えられる垂直荷重の変動
Ａｄvg  左前輪のドリフト角
Ａｄvd  右前輪のドリフト角
Ｅr  後車軸
ｈr  地面に対する後車軸の回転中心の高さ
Ｖr  後方経路の幅
Ｆｘr  後車軸からシャーシに加えられる縦力
Ｆｙr  後車軸からシャーシに加えられる横力
Ｆｚrg  地面から左後輪に加えられる垂直荷重の変動
Ｆｚrd  地面から右後輪に加えられる垂直荷重の変動
ＲＲ’  ロール軸
Ｄｃ  車両の弾性運動学的構造データ
【図１】
2021533020.tif 000003
【図２】
2021533020.tif 000004
【図３】
2021533020.tif 000005
【国際調査報告】
2021533020.tif 000006
2021533020.tif 000007
2021533020.tif 000008
2021533020.tif 000009